(57)【特許請求の範囲】
【請求項１】
ねじ（４）のねじ山（５）と協働可能な複数のリップ（１１）を内側に備えた胴体（１）を備え、前記リップ（１１）は、該胴体（１）の内部に向き、かつ、前記胴体（１）への前記ねじの挿入方向に傾斜している固定締結具において、各前記リップ（１１）は少なくとも２つの部分を有し、第一の部分（１１ａ）は、前記胴体（１）に結合され、前記ねじの挿入側で前記胴体の軸（Ｘ）に対して休止位置で第一の角度（α）だけ傾斜しており、第二の部分（１１ｂ）は、前記第一の部分（１１ａ）に結合され、前記ねじの挿入側で前記胴体の前記軸（Ｘ）に対して休止位置で第二の角度（β）だけ傾斜しており、該第二の角度（β）の値は、前記第一の角度（α）の値よりも大きいが１８０゜未満であり、それによって、前記胴体に前記ねじを挿入しやすくするとともに、前記ねじの挿入後、該締結具の引き抜き抵抗を保持することを特徴とする固定締結具。
【請求項２】
前記第一の角度（α）は、９０゜〜１３５゜であることを特徴とする請求項１に記載の固定締結具。
【請求項３】
前記第一の角度（α）は約１００゜に等しく、一方で、前記第二の角度（β）は約１７０゜に等しいことを特徴とする請求項１または２に記載の固定締結具。
【請求項４】
前記胴体（１）は、２つの平行な壁部（１０）を含み、各該壁部は前記リップ（１１）を備えることを特徴とする請求項１ないし３のいずれか一項に記載の固定締結具。
【請求項５】
前記固定締結具は、前記胴体（１）内で前記ねじ（４）を案内する２つの垂直壁（１１）を含むことを特徴とする請求項１ないし４のいずれか一項に記載の固定締結具。
【請求項６】
前記固定締結具は、管状部材を受容可能な、少なくとも一つの半円筒形部分（２）を含むことを特徴とする請求項１ないし５のいずれか一項に記載の固定締結具。
【発明の詳細な説明】
【０００１】
本発明は、部品、特にケーブル、配管または同等物のような管状部材を、任意の構成要素または車両に固定可能な固定締結具に関する。
周知の固定締結具は、一般に、たとえばケーブル束を受容可能な半円等形部分が結合される胴体を備えており、この胴体は、たとえば自動車に属する支持体に頭部で固定されるねじのねじ山と協働可能な複数のリップを内部に含むので、固定締結具は、単なる押圧によってねじに取り付け可能である。
これは、特に、ドイツ特許ＤＥ−Ｕ−８５２５５０８．４に記載されている。
ねじを固定締結具の胴体内に挿入後、これらのリップは、ねじのねじ山と協働し、固定締結具の引き抜き抵抗をもたらす。
【０００２】
しかしながら、固定締結具をねじに取付可能にするには、比較的強い応力を及ぼさなければならない。
本発明は、組立応力を低減するとともに、ねじに固定締結具を取り付けた後は締結具の引き抜き抵抗を強いまま保持するために、締結具の組立時にリップの柔軟性がきわめて大きい固定締結具を提案することによって、上記の欠点を解消することを目的とする。
【０００３】
従って、本発明は、ねじのねじ山と協働可能な複数のリップを内側に備えた胴体を含み、該リップが、胴体の内部に向き、かつ、該胴体への該ねじの挿入方向に傾斜している固定締結具であって、各リップが少なくとも２つの部分を含み、第一の部分が、上記胴体に結合され、ねじの挿入側で胴体の軸に対して休止位置で第一の角度だけ傾斜しており、第二の部分が、第一の部分に結合され、ねじの挿入側で胴体の軸に対して休止位置で第二の角度だけ傾斜しており、第二の角度の値は、第一の角度の値よりも大きいが１８０゜未満であり、それによって、胴体にねじを挿入しやすくするとともに、ねじの挿入後、締結具の引き抜き抵抗を保持することを特徴とする固定締結具を目的とする。
好適には、第一の角度が９０゜〜１３５゜である。
【０００４】
本発明の好適な実施形態では、第一の角度が約１００゜に等しく、第二の角度が約１７０゜に等しい。
有利的には、固定締結具の胴体が２つの平行な壁を含み、各壁が上記リップを備える。
【０００５】
本発明による固定締結具の第一の変形実施形態では、該固定締結具は上記胴体でねじを案内する２つの垂直壁を含む。
本発明による固定締結具の第二の変形実施形態では、該固定締結具は上記胴体の内部で軸に垂直に突出し、ねじの外形にほぼ対応する湾曲部を備えた２つの結合ピンまたは同等物のような結合ピン部材部材を含み、該結合ピン部材が、２つの隣接するリップの間に配置される。
本発明による固定締結具は、有利には、ケーブル、配管または同等物のような管状部材を受容可能な少なくとも一つの半円筒形部分を含む。
【０００６】
本発明は、例としてのみ挙げられた添付図面に関してなされる以下の説明からいっそう理解され、また本発明の他の目的、利点および特徴が一段と明らかになるであろう。
【０００７】
まず、第一に図１を参照すると、本発明による固定締結具は、半円筒形部分２が結合されている胴体１を主に含む。
この固定締結具の実施形態では、固定締結具が、特に半円筒形部分２への係止によって、たとえば自動車に結合される予定のケーブルまたは配管束（図示せず）を受容可能である。
また、図１では、ねじ４を含む車両要素３が示されている。ねじ４は、斜めになったねじ山５を含むタイプであり、ねじ頭６は、金属製であれば車両要素３に溶接される。
【０００８】
締結具の胴体１は、複数のリップ１１を支持する２つの平行な壁１０を含む。リップ１１は、胴体の内部に向き、かつ、胴体１へのねじ４の挿入方向、すなわち図１の締結具１の上方に傾斜している。
これらのリップ１１は、相互の間に自由通路を残し、その幅ｌは、ねじ４の直径未満である。
さらに、締結具の内部でねじを案内する手段を胴体１内に設けることができる。
【０００９】
図示した例では、これらの案内手段が、２つの垂直壁１２から構成される。
特に図４に示したように、これらの垂直壁は、胴体１の軸Ｘの側に、湾曲凹部１３を含む。そのため、垂直壁１２のこれらの対向湾曲凹部１３は、組立時に締結具がねじで案内されるように、ねじの直径に適合させることができる。
これらの案内手段はまた、胴体の内部で、その軸に垂直に突出する少なくとも２つの結合ピン、または同等物のような結合ピン部材から構成することができる。
これらの結合ピン部材は、図示されていない。このような結合ピン部材を記載し、その内容が本出願に含まれるフランス特許出願第９４０６０８３号を参照することができる。
この２つの結合ピン部材はまた、ねじの外形にほぼ対応する湾曲部を含むことができる。結合ピン部材は、さらに、２つの隣接するリップの間に配置される。
【００１０】
本発明による固定締結具は、ねじ４が胴体１に入るように図１の上から下に単に押圧することによって、ねじ４に取付可能である。
リップ１１は、胴体１にねじ４を挿入する方向に傾斜しているので、取付時にねじ４に及ぼす抵抗は比較的小さい。反対に、リップ１１が、ねじ山５で支持されている場合、ねじ４を胴体に挿入後、リップ１１は、固定締結具に強い引き抜き抵抗を与える。
【００１１】
本発明による固定締結具のリップ１１は、ねじ４の組立時に特に柔軟になるように構成されるので、ねじの挿入に対抗する抵抗を少なくし、従って、取付の実施に必要な応力を低減することができる。
本発明による固定締結具のリップ１１に与えられる特定の形状を特に図２に示す。
各リップ１１は、少なくとも２つの部分１１ａ、１１ｂを含む。
第一の部分１１ａは、胴体１に結合され、特に胴体１の壁１０に結合される。休止時、すなわち、ねじ４を胴体１に挿入する前は、第一の部分１１ａが、壁１０もしくは胴体の軸Ｘに対して第一の角度αだけ傾斜している。角度αは、ねじ４の挿入側、すなわち第一の部分１１ａと、この第一の部分１１ａに対して壁１０の下部との間で得られる。
リップ１１の第二の部分１１ｂは、第一の部分１１ａに結合されている。第二の部分１１ｂは、休止時、挿入側で、壁１０に対して、あるいは胴体の軸Ｘに対して第二の角度βだけ傾斜している。
【００１２】
第二の角度βの値は、第一の角度αの値よりも大きいが１８０゜未満である。
リップ１１のこのような特定の実施形態において、リップ１１は、実際には、互いに連結される２つの部分を有し、リップを構成するために使用される材料は、比較的弾性がある。
このため、胴体１へのねじ４の挿入時に、リップ１１は、単一部分からなるリップよりも柔軟性に富み、胴体の軸に対して単一の傾斜を有する。
胴体１へのねじ４の挿入時に、２つのリップ部分は変形可能であり、ねじに与える抵抗は従来のリップよりも少ない。
従って、供給すべき組立応力は従来の固定締結具よりも少ない。
【００１３】
さらに、ねじを挿入した後に、固定締結具に引き抜き力が及ぼされる場合は、胴体の壁に結合されるリップ１１の第一の部分１１ａは、固定締結具に既に引き抜き抵抗を与えることとなる。さらに、リップ１１の第二の部分１１ｂは、実質的に変形せず、締結具の引き抜き抵抗に同様に寄与する。
【００１４】
このように、本発明による固定締結具は、胴体にねじを挿入しやすくするとともに、ねじの挿入後は、引き抜き力に有効に対抗する。
以上の作業から、第一の部分１１ａの第一の傾斜角度αは、好適には、９０゜〜１３５゜である。
【００１５】
本発明の特定の実施形態では、第一の角度αが約１００゜であり、第二の角度βが約１７０゜である。
さらに、好適には、固定締結具が、一定の弾性を有する適切なプラスチック材料の一体成形部品として構成される。
【００１６】
本発明は、もちろん、記載された実施形態に限定されるものではない。特に、リップ１１は、互いに傾斜した２つ以上の部分を含むことができる。また、第二の部分１１ｂの端に、胴体の軸Ｘに向かってやや突出する部分を設けて、ねじの挿入後、固定締結具の引き抜き抵抗を助けてもよい。
特許請求の範囲に記載した様々な技術特徴の後に挿入した参照符号は、単に、これらの技術特徴を理解しやすくすることを目的としており、その範囲を限定するものではない。
【図面の簡単な説明】
【図１】  本発明による締結具をねじ山要素に垂直に固定する準備位置で示す立面側面図である。
【図２】  図１の細部Ａの拡大図である。
【図３】  図１に示した固定締結具の一部斜視図である。
【図４】  図１のIV−IV線による断面図である。
【図１】
0003710086.tif 000002
【図２】
0003710086.tif 000003
【図３】
0003710086.tif 000004
【図４】
0003710086.tif 000005